(57)【要約】【課題】特段の工具を要することなく、容易且つ安全にパネルを取付可能としたパネルの取付構造を提供すること。【解決手段】第１の被係合部１４ｃを、溝部１８内に固設するとともに、第２の被係合部１５ｃを、第２の係合部２３が係合する係合位置と該係合を解除する解除位置との間で移動自在に、かつ、溝部１８内に設けた付勢手段１６により前記係合位置に向けて付勢した状態で設け、第１の被係合部１４ｃに第１の係合部２２を係合した状態でパネル２０を回動し、第２の係合部２３を第２の被係合部１５ｃに当接させることで、第２の被係合部１５ｃが付勢手段１６による付勢力に抗して解除位置に向けて移動された後、係合位置に復帰して第２の係合部２３が係合されるようにした。【選択図】図５
2008119261.tif 000002
【特許請求の範囲】
【請求項１】
テーブルの一側辺に取付けるパネルの取付構造であって、
テーブルの一側辺の両側には、前記パネル側に開口するとともに、第１の被係合部及び第２の被係合部を内部上下に備える一対の溝部を、それぞれ上下方向に向けて延設し、
前記パネルにおける前記溝部との対向面には、前記第１の被係合部に係合する第１の係合部と、前記第２の被係合部に係合する第２の係合部と、を突設し、
前記第１の被係合部を、前記溝部内に固設するとともに、前記第２の被係合部を、前記第２の係合部が係合する係合位置と該係合を解除する解除位置との間で移動自在に、かつ、該溝部内に設けた付勢手段により前記係合位置に向けて付勢した状態で設け、
前記第１の被係合部に前記第１の係合部を係合した状態で前記パネルを回動し、前記第２の係合部を前記第２の被係合部に当接させることで、前記第２の被係合部が前記付勢手段による付勢力に抗して前記解除位置に向けて移動された後、前記係合位置に復帰して前記第２の係合部が係合されるようにしたことを特徴とするパネルの取付構造。
【請求項２】
前記付勢手段はバネであり、前記溝部内において、前記第２の被係合部の移動方向延長線上に配設されていることを特徴とする請求項１に記載のパネルの取付構造。
【請求項３】
前記第２被係合部の上端部に突起部を形成し、前記第２被係合部が前記係合位置に配置されている状態において、該突起部が前記溝部の上端部から上方に向けて突出するようにしたことを特徴とする請求項１または２に記載のパネルの取付構造。
【請求項４】
前記溝部を、前記テーブルに、天板から離間する方向に突出するように取付けられたブラケットに形成したことを特徴とする請求項１ないし３のいずれかに記載のパネルの取付構造。
【請求項５】
前記溝部は、前記第１の被係合部とは別個に形成され、前記第１の係合部が係合する第３の被係合部と、前記第２の被係合部とは別個に形成され、前記第２の係合部が係合する第４の被係合部と、をさらに備え、
前記第２の被係合部と前記第４の被係合部とを、前記溝部内に上下方向に移動自在に設けたスライド部材に一体的に形成したことを特徴とする請求項１ないし４のいずれかに記載のパネルの取付構造。
【請求項６】
前記スライド部材は、前記テーブルに、天板から離間する方向に突出するように取付けられ、前記パネル側に開口する横断面凹状のブラケットと、前記ブラケットの開口に嵌合し、かつ、前記第１の係合部及び第２の係合部を挿通可能な開口部が形成されたカバー部材と、の間に挟持されるようにしたことを特徴とする請求項５に記載のパネルの取付構造。
【発明の詳細な説明】
【技術分野】
【０００１】
本発明は、テーブルの一側辺に取付ける幕板やデスクトップパネル等のパネルの取付構造に関する。
【背景技術】
【０００２】
従来のパネルの取付構造は、机やテーブルの一側辺に、幅広の幕板やデスクトップパネル等のパネルを係合することで取付けている。より詳しくは、机やテーブルの天板の一側辺に複数の係合爪が設けられるとともに、この係合爪と対面するパネルの側に複数の被係合部が形成され、パネルの自重を利用して両者が安定的に係合保持されるように成っているので、特段の工具を要することなくパネルを取付けることが可能である（例えば、特許文献１参照）。
【０００３】
【特許文献１】特開平１０−２１１０３３号公報（第２頁、第４図）
【発明の開示】
【発明が解決しようとする課題】
【０００４】
しかしながら、特許文献１にあっては、複数の係合部と、これらに対応する複数の被係合部とを、幅方向の２箇所において位置合わせを行いながら略同時に係合することは非常に困難であり、また、パネルの重量を受け持ちながら下方に落とし込み係合する作業が発生するため、たとえ一対でも係合部と被係合部との位置が合わないと、比較的重量のあるパネルが作業中に不意に落下する可能性もあり、危険であった。
【０００５】
本発明は、このような問題点に着目してなされたもので、特段の工具を要することなく、容易且つ安全にパネルを取付可能としたパネルの取付構造を提供することを目的とする。
【課題を解決するための手段】
【０００６】
上記課題を解決するために、本発明の請求項１に記載のパネルの取付構造は、
テーブルの一側辺に取付けるパネルの取付構造であって、
テーブルの一側辺の両側には、前記パネル側に開口するとともに、第１の被係合部及び第２の被係合部を内部上下に備える一対の溝部を、それぞれ上下方向に向けて延設し、
前記パネルにおける前記溝部との対向面には、前記第１の被係合部に係合する第１の係合部と、前記第２の被係合部に係合する第２の係合部と、を突設し、
前記第１の被係合部を、前記溝部内に固設するとともに、前記第２の被係合部を、前記第２の係合部が係合する係合位置と該係合を解除する解除位置との間で移動自在に、かつ、該溝部内に設けた付勢手段により前記係合位置に向けて付勢した状態で設け、
前記第１の被係合部に前記第１の係合部を係合した状態で前記パネルを回動し、前記第２の係合部を前記第２の被係合部に当接させることで、前記第２の被係合部が前記付勢手段による付勢力に抗して前記解除位置に向けて移動された後、前記係合位置に復帰して前記第２の係合部が係合されるようにした、ことを特徴としている。
この特徴によれば、パネルの第１の係合部を第１の被係合部に係合した状態でパネルを回動するだけの簡単な操作で第２の係合部を第２の被係合部に係合できるため、パネルの取付作業が特段の工具を要さずに容易となるばかりか、パネルの荷重が第１の被係合部で支えられた状態で第２の係合部の第２の被係合部への係合作業を行うことができるため、作業中のパネル落下の危険性を低減し、取付作業の安全性が向上する。
【０００７】
本発明の請求項２に記載のパネルの取付構造は、請求項１に記載のパネルの取付構造であって、
前記付勢手段はバネであり、前記溝部内において、前記第２の被係合部の移動方向延長線上に配設されていることを特徴としている。
この特徴によれば、溝部の深さ方向に伸縮バネの配置スペースを設けなくて済み、深さ方向の幅寸法を小さくすることができるため、取付状態においてパネルと机もしくはテーブルとの間に大きな隙間が形成されることを防止できる。
【０００８】
本発明の請求項３に記載のパネルの取付構造は、請求項１または２に記載のパネルの取付構造であって、
前記第２被係合部の上端部に突起部を形成し、前記第２被係合部が前記係合位置に配置されている状態において、該突起部が前記溝部の上端部から上方に向けて突出するようにしたことを特徴としている。
この特徴によれば、溝部の上端部から上方に向けて突出した突起部を下方に押圧することで、付勢手段の付勢力に抗して第２被係合部を解除位置まで移動することができるため、第２の係合部を第２の被係合部から容易に取外すことが出来る。
【０００９】
本発明の請求項４に記載のパネルの取付構造は、請求項１ないし３のいずれかに記載のパネルの取付構造であって、
前記溝部を、前記テーブルに、天板から離間する方向に突出するように取付けられたブラケットに形成したことを特徴としている。
この特徴によれば、若しくはテーブルの脚部に溝部を設けることなく、パネルの大きさ等に合わせて任意の位置に配設することができるとともに、係合部が天板から離れた位置に配置されるため、パネル取付作業が容易になる。
【００１０】
本発明の請求項５に記載のパネルの取付構造は、請求項１ないし４のいずれかに記載のパネルの取付構造であって、
前記溝部は、前記第１の被係合部とは別個に形成され、前記第１の係合部が係合する第３の被係合部と、前記第２の被係合部とは別個に形成され、前記第２の係合部が係合する第４の被係合部と、をさらに備え、
前記第２の被係合部と前記第４の被係合部とを、前記溝部内に上下方向に移動自在に設けたスライド部材に一体的に形成したことを特徴としている。
この特徴によれば、パネルの第１の係合部及び第２の係合部を、第１の被係合部及び第２の被係合部または第３の被係合部及び第４の被係合部に適宜選択して係合することができるため、テーブルに対するパネルの取付高さを調節してパネルを取付けることが出来るばかりか、第４の被係合部はスライド部材を介して第２の被係合部とともに連動するため、付勢手段を別々に設けなくて済む。
【００１１】
本発明の請求項６に記載のパネルの取付構造は、請求項５に記載のパネルの取付構造であって、
前記スライド部材は、前記テーブルに、天板から離間する方向に突出するように取付けられ、前記パネル側に開口する横断面凹状のブラケットと、前記ブラケットの開口に嵌合し、かつ、前記第１の係合部及び第２の係合部を挿通可能な開口部が形成されたカバー部材と、の間に挟持されるようにしたことを特徴としている。
この特徴によれば、溝部内にスライド部材を簡単に設けることができる。
【発明を実施するための最良の形態】
【００１２】
本発明の実施例を以下に説明する。
【実施例１】
【００１３】
本発明の実施例を図面に基づいて説明すると、先ず図１は、本発明の実施例１におけるパネルを取付けたテーブルの全体像を示す斜視図である。図２は、テーブルの正面図である。図３は、テーブルの側面図である。図４は、ベース部材とスライド部材の構造を示す斜視図である。図５（ａ）は、パネルの第１の係合部を係合した側断面図であり、（ｂ）は、パネルの第２の係合部を係合した側断面図である。図６（ａ）は、図５（ａ）のＡ−Ａ断面図であり、（ｂ）は、図５（ｂ）のＡ’−Ａ’断面図である。図７は、下方側の被係合部に係合した側断面図である。図８（ａ）は、パネルを取外す際の動作を示す側断面図であり、（ｂ）は、パネルを回動する動作を示す側断面図である。
【００１４】
図１〜３に示されるように、本実施例のパネルを取付けるテーブル１０は、矩形状の天板１２と脚部４とから構成され、脚部４（本実施例では４本）は、天板１２の各周辺角部の背面側に、受座８（図５参照）を介して接続されている。テーブル１０の使用側（図３の左側）における天板１２に接続された脚部４は、パイプ材質などから成る脚本体５と、その脚本体５の下端に取付けられテーブル１０が床面に載置された際に床面との滑動防止する為の軟質材質から成るアジャスタ６と、から構成される。
【００１５】
同様に、テーブル１０の反使用側（図３の右側）における天板１２に接続された脚部４は、脚本体５と、その脚本体５の下端に取付けられたプラスチック材質などからなるキャスタ１と、から構成されており、このキャスタ１を利用して、テーブル１０の使用側を持ち上げてテーブル１０を所望の場所へ床面上を移送出来るように成っている。
【００１６】
本実施例のテーブル１０の４本の脚部４は上記構成であるが、本実施例の構成に限られず、４本の脚部４全てが、脚本体５とアジャスタ６とから成る構成や、あるいは４本の脚部４全てが、脚本体５とキャスタ１とから成る構成でもよい。また、脚部は上記構成に加えて、例えば、上下伸縮する機能を有していてもよい。更に、脚部の本数は本実施例の４本に限られず、例えば、３本であってもよいし、５本以上であってもよい。
【００１７】
２０は、テーブル１０の横幅と略同じ幅の板形状であって、天板１２に対して略直交に配置するように、テーブル１０の天板１２の一側辺である反使用端面１２ａ（図５参照）に沿って後述のように取付けられるパネルであって、該パネル２０における天板１２より上方側を仕切板若しくはデスクトップパネルとして利用するとともに、パネル２０における天板１２より下方側を幕板として利用出来るように成っている。
【００１８】
次に、パネル２０のテーブル１０への取付構造について説明する。
【００１９】
図３、４に示されるように、先ず、天板１２下面における反使用端面１２ａ側の左右両端部それぞれの近傍に、ベース部材を構成する部材であって短辺の水平部１３ａと長辺の鉛直部１３ｂとが略直交する側面視略Ｌ字状のブラケット１３が、その鉛直部１３ｂが天板１２の反使用端面１２ａよりも後述するパネル２０側に突出するようにして、水平部１３ａの上面が天板１２下面に対して固定に取付けられている。天板１２下面より下方に延びる鉛直部１３ｂは、パネル２０側に開口する平面視略コ字状部に形成されており、その内部には、溝部としての凹溝１８が上下方向に延設されている。該凹溝１８内には、上述したブラケット１３とともにベース部材を構成するハウジング１４が、後述するスライド部材を凹溝１８内に上下方向に移動自在に収容した状態で、該凹溝１８内に嵌合される。
【００２０】
図４に示されるように、ベース部材を構成するハウジング１４は、パネル２０側に面する側面に上下方向に開口して設けた長方形状の上部開口１４ａと、この上方側の上部開口１４ａより下方に位置し同じ幅に開口する長方形状の下部開口１４ｂとを備えている。また、上方側の上部開口１４ａの下辺から連続して後下方に向かって延びる上向き鉤状の第１の被係合部１４ｃ（図５参照）が形成されており、後述するパネル２０に設けた第１の係合部２２と係合出来るようになっている。また、前記した構成の第１の被係合部１４ｃと同様に、下方側の下部開口１４ｂの下辺から連続して後下方に向かって延びる上向き鉤状の第３の被係合部１４ｄが形成されている（図５参照）。
【００２１】
次に、図５（ａ）、（ｂ）に示されるように、ブラケット１３とハウジング１４とから構成されるベース部材の内部に収容されているスライド部材１５について説明すると、スライド部材１５は、パネル２０側に開口する側面視コ字形状に概ね形成されており、ハウジング１４の下方側において形成された水平片１４ｅと、スライド部材１５の前記コ字形状を構成する下方の前後片１５ｅとの間に収容された付勢手段としてのコイルバネ１６により上方に付勢された状態で、凹溝１８内に上下方向に移動可能に収容されている。
【００２２】
このように、コイルバネ１６を凹溝１８内におけるスライド部材１５の移動方向の延長線上に配設することで、凹溝１８（ブラケット１３）の深さ方向にコイルバネ１６の配置スペースを設けなくて済み、深さ方向の幅寸法を小さくすることができるため、取付状態においてパネル２０とテーブル１０との間に大きな隙間が形成されることを防止できる。
【００２３】
スライド部材１５は、上方側の上部開口１４ａよりも若干幅狭に形成された第２の被係合部１５ｃが、ハウジング１４のパネル２０側に面する側面と略面一に成るように、前記したコ字形状を構成する上辺から上方側の上部開口１４ａに向かって延設されており、後述するパネル２０に設けた第２の係合部２３と係合出来るようになっている。また、前記した構成の第２の被係合部１５ｃと同様に、第４の被係合部１５ｄが、ハウジング１４のパネル２０側に面する側面と略面一に成るように、前記したコ字形状を構成する下辺から下方側の下部開口１４ｂの開口に向かって延設されている。
【００２４】
また、第２の被係合部１５ｃ及び第４の被係合部１５ｄの先端部には、図５に示されるように、上端から下方に向けて前記パネル側に向けて傾斜する傾斜面Ｋ１が形成されている。
【００２５】
また、ベース部材を構成するハウジング１４の上端部、すなわち、凹溝１８の上端部には、凹溝１８の内部と連通する開口部１４ｆが開設しているとともに、スライド部材１５の上端部に形成した突起部１５ｆが、開口部１４ｆから上方に向けて突出している。
【００２６】
上記のように、ブラケット１３とハウジング１４とから構成されるベース部材は、凹溝１８内部にスライド部材１５を収容し、ブラケット１３のネジ孔１３ｄ及びハウジング１４のネジ孔に螺挿されたネジ９により一体に接続される。そしてスライド部材１５を収容したベース部材は、ボルト孔１３ｃに挿通されたボルト（図示略）により、受座８を介して天板１２の下面に接続される。
【００２７】
ブラケット１３とハウジング１４とが一体化された状態において、スライド部材１５は、図５（ａ）に示されるように、突起部１５ｆが開口部１４ｆから上方に向けて突出するとともに、第２の被係合部１５ｃが上部開口１４ａの上部に位置する係合位置と、図５（ｂ）に示されるように、突起部１５ｆが開口部１４ｆから下方に向けて没入するとともに、第２の被係合部１５ｃがコイルバネ１６の付勢力に抗して前記係合位置よりも下方に押し下げられる係合解除位置と、の間で移動自在に設けられている。尚、前記係合位置においてコイルバネ１６により上方に向けて付勢されるスライド部材１５は、その上端がハウジング１４の上端部に当接することにより移動規制されるようになっている。
【００２８】
パネル２０の構造について説明すると、パネル２０のテーブル１０取付側の側面における左右両端部それぞれの近傍に、テーブル１０に向かって斜め下方に延びるとともに連続して先端が下方に延びる鉤状の第１の係合部２２が、取付部２１を介してパネル２０に固着されており、この第１の係合部２２の直上方に、同様に鉤状の第２の係合部２３が、取付部２１を介してパネル２０に固着されている。
【００２９】
また、第２の係合部２３の先端部には、図５に示されるように、下端から上方に向けて前記テーブル側に向けて傾斜する傾斜面Ｋ２が形成されている。
【００３０】
次に、上記した構成のテーブル１０にパネル２０を取付ける取付工程について説明する。
【００３１】
図５（ａ）に示されるように、パネル２０側の第１の係合部２２を、テーブル１０側の上部開口１４ａを介して凹溝１８内に挿通して第１の被係合部１４ｃに係合する。このとき、第２の被係合部１５ｃは上部開口１４ａ上部の係合位置に配置されているため、第２の被係合部１５ｃと上部開口１４ａの下部開口端縁との間には上下方向に幅広の開口が形成されているため、第１の係合部２２を容易に挿通することができる。
【００３２】
そして、この係合により、パネル２０の荷重を第１の被係合部１４ｃを介してテーブル１０に負荷させることが出来る。このようにすることで、パネル２０を取付ける作業者が比較的重量のあるパネル２０を持つ負担が軽減し、以降の作業を安全且つ容易に行うことが出来る。前記したように、パネル２０の第１の係合部２２をテーブル１０の第１の被係合部１４ｃに係合した場合、パネル２０は、その上部側に向かってテーブル１０と離間する方向に傾斜している。
【００３３】
次に、第１の係合部２２と第１の被係合部１４ｃとの係合箇所を支点として、パネル２０の上部側をテーブル１０に近付けるようにパネル２０を使用端側に押圧して回動する（図示白抜き矢印参照）。パネル２０がテーブル１０に向かって接近することにより、上方の第２の係合部２３の下向き傾斜面Ｋ２は、テーブル１０側の第２の被係合部１５ｃの上向き傾斜面Ｋ１に摺接し、更にパネル２０を回動することで、第２の被係合部１５ｃを係合位置から下方の係合解除位置向けてに押圧して、スライド部材１５を下方に押下げつつ上下に開口した上部開口１４ａから凹溝１８内部に嵌入する。そして、凹溝１８内部に嵌入した後に、スライド部材１５がコイルバネ１６により再び上方に移動するとともに、図５（ｂ）に示されるように、係合位置に配置されて第２の被係合部１５ｃに係合する。上記のように、パネル２０の上下方向に設けられた第１の係合部２２及び第２の係合部２３が、テーブル１０側の第１の被係合部１４ｃ及び第２の被係合部１５ｃに係合することで、パネル２０がテーブル１０に対し安定して取付けられる。
【００３４】
このように、パネル２０の第１の係合部２２をベース部材の第１の被係合部１４ｃに係合し、パネル２０を回動することで、第２の係合部２３をスライド部材１５の第２の被係合部１５ｃに係合出来るため、パネル２０の取付作業が特段の工具を要さずに容易となるばかりか、第１の係合部２２を第１の被係合部１４ｃに係合し、パネル２０の荷重が第１の被係合部１４ｃで支えられた状態で第２の係合部２３の第２の被係合部１５ｃへの係合作業を行うことができるため、作業中のパネル２０落下の危険性を低減し、取付作業の安全性が向上する。
【００３５】
また、上記したように、上下方向に延びる１本の凹溝１８内には、第１の被係合部１４ｃ及び第３の被係合部１４ｄを上下方向に備えているとともに、スライド部材１５は、第１の被係合部１４ｃ及び第３の被係合部１４ｄに対応するように、第２の被係合部１５ｃ及び第４の被係合部１５ｄを上下方向に備えているため、パネル２０の第１の係合部２２及び第２の係合部２３を、上方の第１の被係合部１４ｃ及び第２の被係合部１５ｃまたは下方の第３の被係合部１４ｄ及び第４の被係合部１５ｄに適宜選択して係合することで、テーブル１０に対するパネル２０の取付高さを調節してパネル２０を取付けることが出来る。例えば、図７に示されるように、パネル２０の第１の係合部２２を下方側の第３の被係合部１４ｄに係合するとともに、第２の係合部２３を下方側の第４の被係合部１５ｄに係合することで、パネル２０のテーブル１０への取付位置を上記実施例よりも低く調節することが出来る。
【００３６】
尚、第１の被係合部及び第２の係合部の取付個数は、必ずしも上記実施例に限られず、例えば、第１の被係合部及び第２の係合部を３個以上設け、テーブルに対するパネルの取付高さを多段階に調節出来るようにしてもよいし、また、第１の被係合部及び第２の係合部が、テーブルに対するパネルの取付高さが適当になるように、１個取付けられていてもよい。
【００３７】
次に、テーブル１０に取付けられたパネル２０の取外しについて説明すると、図８（ａ）に示されるように、ベース部材上端部の開口部１４ｆから上方に向けて突出したスライド部材１５の突起部１５ｆを下方に押圧することで、上向き付勢するコイルバネ１６に抗してスライド部材１５を下方に移動して係合解除位置に配置させ、上部開口１４ａの上辺と第２の被係合部１５ｃとの間を上下に開口させた後、図８（ｂ）に示されるように、第１の係合部２２と第１の被係合部１４ｃとの係合箇所を支点として、パネル２０の上部側をテーブル１０から離間させるようにパネル２０を回動する。このようにすることで、第２の係合部２３を第２の被係合部１５ｃから容易に取外すことが出来る。
【００３８】
そして、パネル２０をテーブル１０の反使用端側上方に持上げることにより、パネル２０の第１の係合部２２をテーブル１０の第１の被係合部１４ｃから取外すことで、パネル２０をテーブル１０から安全且つ容易に取外すことが出来る。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、上記実施例では、パネル２０を取付ける対象物としてテーブルが示されているが、本実施例で言うテーブルとは、オフィス等で使用される机等も含んでいる。また、上記実施例のパネル２０の形状は、テーブルの天板の上方から下方まで延びる形状であって、パネル２０の天板上方側をデスクトップパネルとして利用するとともに、パネル２０の天板下方側を幕板として使用しているが、例えばパネルの形状は、天板の上方側のみに形成され、デスクトップパネルとして使用するものであってもよいし、また、パネルの形状は、天板の下方側のみに形成され、幕板として使用するものであってもよい。
【００４１】
また、上記実施例では、テーブル１０の使用側から見て反対側（対面側）である反使用側の一側辺に沿ってパネル２０を取付けているが、例えば、テーブル１０の使用側から見て左側辺若しくは右側辺に沿って取り付けてもよい。
【００４２】
また、上記実施例では、互いに係合する係合部及び被係合部は、パネル２０及びテーブル１０の左右方向両端部それぞれの近傍に設けられていたが、係合部及び被係合部の設けられる箇所は本実施例に限られず、例えば係合部及び被係合部は、パネル及びテーブルの左右方向略中央部に１箇所のみ設けられていてもよいし、また、パネル及びテーブルの左右方向に多数設けられていてもよい。
【００４３】
また、上記実施例では、溝部としての凹溝１８はテーブル１０に取り付けたブラケット１３内に形成されていたが、本発明はこれに限定されるものではなく、例えば脚本体５等に溝部を形成してもよい。
【００４４】
また、上記実施例では、第１の被係合部１４ｃ及び第３の被係合部１４ｄの上方に第２の被係合部１５ｃ及び第４の被係合部１５ｄが配設され、第１の被係合部１４ｃまたは第３の被係合部１４ｄ上に第１の係合部２２を係合してパネル２０を載置した状態で第２の係合部２３を上方の第２の被係合部１５ｃまたは第４の被係合部１５ｄを係合するように構成されていたが、本発明はこれに限定されるものではなく、例えば、第１の被係合部１４ｃ及び第３の被係合部１４ｄの下方に第２の被係合部１５ｃ及び第４の被係合部１５ｄを配設し、第１の被係合部１４ｃまたは第３の被係合部１４ｄに第１の係合部２２を係合してパネル２０を吊支した状態で第２の係合部２３を下方の第２の被係合部１５ｃまたは第４の被係合部１５ｄを係合するように構成してもよい。
【００４５】
更に、上記実施例では、スライド部材１５は、パネル２０側に開口するブラケット１３と、このブラケット１３と別部材のカバー部材としてのハウジング１４と、の間に挟持されているが、本発明はこれに限定されるものではなく、例えばスライド部材は、中空構造を有する一体の部材の内部に収容されるようにしてもよい。
【図面の簡単な説明】
【００４６】
【図１】本発明の実施例１におけるパネルを取付けたテーブルの全体像を示す斜視図である。
【図２】テーブルの正面図である。
【図３】テーブルの側面図である。
【図４】ベース部材とスライド部材の構造を示す斜視図である。
【図５】（ａ）は、パネルの第１の係合部を係合した側断面図であり、（ｂ）は、パネルの第２の係合部を係合した側断面図である。
【図６】（ａ）は、図５（ａ）のＡ−Ａ断面図であり、（ｂ）は、図５（ｂ）のＡ’−Ａ’断面図である。
【図７】下方側の被係合部に係合した側断面図である。
【図８】（ａ）は、パネルを取外す際の動作を示す側断面図であり、（ｂ）は、パネルを回動する動作を示す側断面図である。
【符号の説明】
【００４７】
４                脚部
１０              テーブル
１２              天板
１３              ブラケット
１３ａ            水平部
１３ｂ            鉛直部
１４              ハウジング（カバー部材）
１４ａ            上部開口（開口部）
１４ｂ            下部開口（開口部）
１４ｃ            第１の被係合部
１４ｄ            第３の被係合部
１４ｅ            水平片
１４ｆ            開口部
１５              スライド部材
１５ｃ            第２の被係合部
１５ｄ            第４の被係合部
１５ｅ            前後片
１５ｆ            突起部
１６              コイルバネ（付勢手段，バネ）
１８              凹溝（溝部）
２０              パネル
２２              第１の係合部
２３              第２の係合部
【図１】
2008119261.tif 000003
【図２】
2008119261.tif 000004
【図３】
2008119261.tif 000005
【図４】
2008119261.tif 000006
【図５】
2008119261.tif 000007
【図６】
2008119261.tif 000008
【図７】
2008119261.tif 000009
【図８】
2008119261.tif 000010